(57)【特許請求の範囲】
【請求項１】
少なくとも一半部に穴を備えた２つの半筒状体が、バネ部により開閉自在として、筒状の本体を形成し、袋の底部を、前記筒状本体の開閉部から本体内部に入れ、前記穴から前記袋の底部を本体外部に引き出した状態で使用されることを特徴とするペットの糞の回収用具。
【請求項２】
一半部の半筒状体の開閉部側の口先部分に突出したツメを有し、本体が閉じた状態では、前記ツメがもう一方の半筒状体の内部にクロスして入り込むことを特徴とする請求項１記載のペットの糞の回収用具。
【請求項３】
前記袋がレジ袋であることを特徴とする請求項１または２記載のペットの糞の回収用具。
【発明の詳細な説明】
【技術分野】
【０００１】
本発明は、ペットの糞の回収用具に関し、詳しくは、野外などでペットの運動や散歩時に、手を汚さずに糞の回収収納ができ、そのまま持ち帰り処理するために用いるペットの糞の回収用具に関するものである。
【背景技術】
【０００２】
従来、通勤・通学路、公園、空き地、住宅街付近など、いたる所に犬猫の糞が放置されている。これは非常に不衛生なことである。また、周辺の住民やウォーキングする人に迷惑をかけていた。
犬などのペットの飼い主は、マナーとしてペットを戸外に散歩に連れていく場合、ペットの糞の処理のために飼い主はビニール袋などを携帯していた。しかし、１回の散歩で、１〜２回程度しか糞を回収できなかった。また、ペットの散歩に際して、ビニール袋や、そこに糞を入れるために使いスコップなど片手に持参するのは困難であり、手軽に散歩ができづらかった。これが、糞の放置の一因となっていた。
【０００３】
また、糞を回収する作業では、別に持参したスコップや割り箸を使用したり、ティッシュペーパーを被せて直接ビニール袋で取っていたりしたが、両手を使わなければならず、また、不衛生なものでもあった。
これに対して、特許文献１には、開閉可能な二枚のブレードからなるスコップ部と、当該スコップ部に連なる外袋と、該外袋に入れられる内袋からなり、スコップ部で採取した糞を内袋に収納し、内袋のみを廃棄する糞処理スコップが記載されている。しかし、このスコップでも携帯性が十分満足できるものとは言えず、また、スコップ部に汚れが残ってしまい、衛生性の面で課題が残るものであった。
【特許文献１】特開２００４−４９１９６号公報
【発明の開示】
【発明が解決しようとする課題】
【０００４】
本発明は、携帯性に優れ、散歩中にペットが路上や空き地で糞をした場合には簡単に片手で回収作業を何度でも行うことができ、かつ、衛生的なペットの糞の回収用具を提供することを目的とする。
【課題を解決するための手段】
【０００５】
本発明は、
（１）少なくとも一半部に穴を備えた２つの半筒状体が、バネ部により開閉自在として、筒状の本体を形成し、袋の底部を、前記筒状本体の開閉部から本体内部に入れ、前記穴から前記袋の底部を本体外部に引き出した状態で使用されることを特徴とするペットの糞の回収用具、
（２）一半部の半筒状体の開閉部側の口先部分に突出したツメを有し、本体が閉じた状態では、前記ツメがもう一方の半筒状体の内部にクロスして入り込むことを特徴とする（１）項記載のペットの糞の回収用具、および
（３）前記袋がレジ袋であることを特徴とする（１）または（２）項記載のペットの糞の回収用具
を提供するものである。
【発明の効果】
【０００６】
本発明のペットの糞の回収用具は、未使用時はコンパクトの形状であり、散歩の際に飼い主に邪魔にならずに持ち歩け、また、使用する際にも片手で簡単に糞を回収、収納することができる。また、回収した糞を用具開閉後、セットしている袋の方へ移動できるので何度でも回収が可能である。また、回収用具本体は汚れることが無く、衛生的である。
【発明を実施するための最良の形態】
【０００７】
以下、本発明の好ましい実施態様を、図面を参照して説明するが、本発明はこれに限定されるものではない。
図１は、本発明の好ましい実施態様のペットの糞の回収用具の正面図である。本実施態様の用具は、ツマミ部１および２をそれぞれ備えた２つの半筒状体３および４からなる筒状の本体を有するものである。本発明において、半筒状体３、４の材質はそれに限定されるものではないが、例えば、通常のプラスチック等の樹脂を用いることができ、これらを常法により成形することによりツマミ部１、２を備えた半筒状体３、４を形成することができる。
【０００８】
回収用具全体の大きさは、対象とするペットの種類や大きさによって適宜変更することができる。大きさは、携帯性の面からコンパクトであれることが好ましく、例えば、ツマミ部を除いた本体の外形を、直径５〜１０ｃｍで、長さ１２〜２０ｃｍの筒状とすることができる。また、筒状本体の横断面の形状は、本発明の目的を達成できるものであれば、円形に限定されるものではなく、楕円形や多角形であってもよい。
【０００９】
図１で示される閉じた状態で、ツマミ部１および２を片手でつかみ、互いに引き寄せることにより、本発明の用具は、図２で示される開いた状態とすることができる。図２の開いた状態の正面図で示されるように、本体内部の上部には、開閉自在に２つの半筒状体を結合させる内蔵されたバネ部５が設けられている。バネ部５は、女性や子供であっても片手で操作するにあたって負担とならない１．５〜３．０Ｎ程度の力で開閉できるものが好ましく、例えば、半筒状体３，４の両側にそれぞれ半円状の部材の接点を有するリングバネなどを用いることができる。
【００１０】
本発明においては、図２に示されるように、半筒状体４の開閉部６の側の口先部分は突出したツメ７を有したものが好ましい。ツメ７は、本発明の用具が閉じた状態では、半筒状体３の内部にクロスして入り込むような構造を有している。クロス部の長さは、例えば、長さを５〜１５ｍｍとすることができる。
【００１１】
図３は、本発明の用具の側面図である。半筒状体３には穴８が開いている。また、半筒状体４にも穴８と同様の穴が開いていてもよい。また、図４の斜視図で示される形状の袋９の底部を、開いた状態の開閉部６から本体内部に入れ、穴８から袋９の底部を外部に引き出した状態でセットされている。袋９としては、例えば、スーパーのレジ袋や市販の手提げ付のビニール袋を用いることができる。また、本体の両半部とも穴が設けられている場合には、袋９を、本体に設けられた２つの穴のどちらから袋を出すかは、操作する人の利き手に合わせ適宜決定すればよい。また、袋９のセットの仕方は、逆に穴の方から手提げ部分１０を入れ、開閉部６から引き出しでも良い。
【００１２】
穴８の大きさ、および形状には特に限定はないが、袋部を通して糞の通過と、その後の袋の底部における収納が容易にできるように、例えば、半筒状体３において、表面積の５０〜８０％を閉めるように形成することが好ましい。
また、穴８は、恒常的に開放されている穴であっても、回収作業時に開放されるふた付きの穴であって良い。
【００１３】
本発明の用具を用いたペットの糞の回収作業の１例を以下に示す。図３に示されるような状態の用具の開閉部の口元で、袋９の手提げ部分１０を残して、５０ｍｍ程度残して、本体の外側に折り返す。次いで、開いた状態の開閉部でペットの糞を挟み込むように覆う。次に、ツマミ部１および２を押さえていた指を開くと、バネ５の作用により、開閉部が閉じる。このとき、ツメ７で引っかくようにして、確実に本体内部の袋９に糞が回収される。このように、用具を汚さずに糞を確実に回収できる。次いで、ツマミ部を持ちながら袋９の底部を下にし、糞を穴８から本体外部の袋に移動して、収納する。したがって、手を汚す恐れが無く、その後、何度も同様にして回収作業を行うことができる。糞の回収後は、袋９の折り返し部分を戻し、袋９を穴８から抜き取るか、あるいは袋９を挟み込んで状態で用具を閉じて、手提げ部分１０を手や腕に引っ掛けて簡単に持ち帰ることができる。持ち帰った糞は、袋からトイレに落として流し処理すればよい。
【図面の簡単な説明】
【００１４】
【図１】本発明のペットの糞の回収用具の閉じた状態の正面図である。
【図２】本発明のペットの糞の回収用具の開いた状態の正面図である。
【図３】袋をセットした本発明のペットの糞の回収用具の側面図である。
【図４】本発明のペットの糞の回収用具に用いられる袋の１例の斜視図である。
【符号の説明】
【００１５】
１、２  ツマミ部
３、４  半筒状体
５  バネ部
６  開閉部
７  ツメ
８  穴
９  袋
１０  袋の手提げ部分
【図１】
0004778759.tif 000002
【図２】
0004778759.tif 000003
【図３】
0004778759.tif 000004
【図４】
0004778759.tif 000005